(57)【要約】【課題】  表紙カバー部の外向き面に、装飾用シート、メモシート、写真等、薄手の小物品を容易に着脱できるようにした手帳等の表紙カバーを得る。【解決手段】  表表紙カバー部１と裏表紙カバー部２と背表紙カバー部３からなるカバー本体４を備えた手帳等の表紙カバーであって、表表紙カバー部１と裏表紙カバー部２の少なくとも一方の表紙カバー外向き面８に透明または半透明のフィルム９を配置し、表紙カバー外向き面８とフィルム９を、表紙カバー外向き面８とフィルム９の内向き面１０の何れか一方に形成された再剥離・再接着可能な接着層１１により接着し、更にフィルム９の一縁をカバー本体４の対応する部分に接合する。【選択図】    図２
2013103435.tif 000002
【特許請求の範囲】
【請求項１】
表表紙カバー部と裏表紙カバー部と背表紙カバー部からなるカバー本体を備えた手帳等の表紙カバーであって、
前記表表紙カバー部と裏表紙カバー部の少なくとも一方の表紙カバー外向き面に透明または半透明のフィルムが配置され、前記表紙カバー外向き面と前記フィルムは、前記表紙カバー外向き面と前記フィルムの内向き面の何れか一方に形成された再剥離・再接着可能な接着層により接着され、更に前記フィルムの一縁が前記カバー本体の対応する部分に接合されていることを特徴とする手帳等の表紙カバー。
【発明の詳細な説明】
【技術分野】
【０００１】
本発明は、手帳、本、スケジュール帳等を含む手帳等の表紙カバーに関するものである。
【背景技術】
【０００２】
手帳、本、スケジュール帳等の表紙を汚れや破損から保護し、美感を維持するために表紙カバーが広く利用されているが、このカバー本体の外側に小物品の収納場所を設けた表紙カバーが開示されている（例えば、特許文献１参照。）。
特許文献１に記載されている表紙カバーは、カバー本体の表面に重ねたポケット用シートの三辺外周を接合してポケット部を形成し、その開口部を閉止可能とした構成となっている。
【先行技術文献】
【特許文献】
【０００３】
【特許文献１】特開平１０−８６５５２号公報
【発明の概要】
【発明が解決しようとする課題】
【０００４】
特許文献１に記載されている表紙カバーは、ポケット部の存在が目立ち、表紙カバーの美感を損ねるといった問題があった。また、ポケット部への小物品の出し入れに際し、その開口部を開閉するといった作業を要するため、小物品の出し入れが面倒であるといった問題があった。
【０００５】
本発明の目的は、表紙カバー部の外向き面に、装飾用シート、メモシート、写真等、薄手の小物品を容易に着脱できるようにした手帳等の表紙カバーを提供することにある。
【課題を解決するための手段】
【０００６】
上記の目的を達成するために、請求項１に記載の発明は、表表紙カバー部と裏表紙カバー部と背表紙カバー部からなるカバー本体を備えた手帳等の表紙カバーであって、前記表表紙カバー部と裏表紙カバー部の少なくとも一方の表紙カバー外向き面に透明または半透明のフィルムが配置され、前記表紙カバー外向き面と前記フィルムは、前記表紙カバー外向き面と前記フィルムの内向き面の何れか一方に形成された再剥離・再接着可能な接着層により接着され、更に前記フィルムの一縁が前記カバー本体の対応する部分に接合されていることを特徴とする。
【発明の効果】
【０００７】
請求項１に記載の手帳等の表紙カバーによれば、前記表表紙カバー部と裏表紙カバー部の少なくとも一方の表紙カバー外向き面に透明または半透明のフィルムが配置され、前記表紙カバー外向き面と前記フィルムは、前記表紙カバー外向き面と前記フィルムの内向き面の何れか一方に形成された再剥離・再接着可能な接着層により接着されているので、表紙カバー外向き面に配置され、前記表紙カバー外向き面と再剥離・再接着可能に接着している前記フィルムを表紙カバー外向き面から剥がし、表紙カバー外向き面上に、装飾用シート、メモシート、写真等、薄手の小物品を置き、その上から前記フィルムを重ね前記フィルムと前記表紙カバー外向き面とを接着することにより、前記薄手の小物品を前記フィルムと前記表紙カバー外向き面で挟着し保持することができることから、薄手の小物品等の収納部として活用できるとともに、保持された前記薄手の小物品は前記フィルムを通して目視できるので、前記表紙カバー外向き面に装飾を施すことができ、またメモ内容が容易に確認することができる。
【０００８】
また、前記薄手の小物品の保持は、前記フィルムを表紙カバー外向き面から剥がし、表紙カバー外向き面上に、前記薄手の小物品を置き、その上から前記フィルムを重ね前記フィルムと前記表紙カバー外向き面とを接着するといった簡単な作業により行うことができ、かつ、前記薄手の小物品を表紙カバー外向き面上の任意の位置に自由に配置し、同位置に保持することができる。
【０００９】
また、前記フィルムの一縁が前記カバー本体の対応する部分に接合されているので、前記フィルムが表紙カバー外向き面から分離してしまうおそれはなく、また、表紙カバー外向き面に配置されたフィルムは透明または半透明であるので、フィルムの存在が目立たず、表紙カバーの美感を損ねることはない。
【図面の簡単な説明】
【００１０】
【図１】本発明に係る手帳等の表紙カバーの実施の形態の一例を示す概略構成斜視図である。
【図２】図１のＡ−Ａ線一部省略拡大断面図である。
【図３】本発明に係る手帳等の表紙カバーの使用例を示す説明図である。
【発明を実施するための形態】
【００１１】
以下、本発明に係る手帳等の表紙カバーを実施するための形態を、図面を参照して詳細に説明する。
図１乃至図３は本発明に係る手帳等の表紙カバーの実施の形態の一例を示すもので、図１は本例の概略構成斜視図、図２は図１のＡ−Ａ線一部省略拡大断面図、図３は本例の手帳等の表紙カバーの使用例を示す説明図である。
【００１２】
本例の手帳等の表紙カバーは、表表紙カバー部１と裏表紙カバー部２と背表紙カバー部３からなるカバー本体４を備えている。表表紙カバー部１と裏表紙カバー部２の表紙カバー内向き面５の側縁部には、それぞれ手帳等の表表紙および裏表紙（図示せず）を挿入する表紙挿入部６が設けられている。本例では、表表紙カバー部１と裏表紙カバー部２の表紙カバー内向き面４に、内側カバー７を重ねて外側３辺を接合し、内側に対向して開口する表紙挿入部６を形成している。
【００１３】
表表紙カバー部１と裏表紙カバー部２のそれぞれの表紙カバー外向き面８には、透明または半透明のフィルム９が配置され、フィルム９の一縁がカバー本体４の対応する部分に接合されている。本例では、フィルム９は表表紙カバー部１および裏表紙カバー部２と同形に形成され、フィルム９の一縁が前記カバー本体３を構成する表表紙カバー部１と裏表紙カバー部２の側縁に接合されている。
【００１４】
前記表表紙カバー部１と裏表紙カバー部２と背表紙カバー部３からなるカバー本体４の材質としては、例えば、塩化ビニル、ポリオレフィン、ポリエステル、ポリアミド等のプラスチックシートが好ましく、また、透明、不透明何れでも良い。
また、フィルム９の材質としては、例えば、塩化ビニル、ポリオレフィン、ポリエステル、ポリアミド等のプラスチックフィルムが好ましい。
【００１５】
前記表表紙カバー部１と裏表紙カバー部２のそれぞれの表紙カバー外向き面８と、表紙カバー外向き面８に配置されたフィルム９は、表紙カバー外向き面８とフィルム９の内向き面１０の何れか一方に形成された再剥離・再接着可能な接着層１１により接合されている。表紙カバー外向き面８とフィルム９を再剥離・再接着可能に接着する接着層１１にあっては、公知の接着技術を用いており、表紙カバー外向き面８とフィルム９を再剥離・再接着可能に接着することができるものであれば、特に限定されない。本例では、シリコーンが使用され、フィルム９の内向き面１０にシリコーンを塗布して接着層１１を形成している。シリコーンを塗布して接着層を形成した再剥離・再接着特性を有するフィルムとして、フジコピアン株式会社製フィックスフィルム（登録商標）が知られている。
【００１６】
以上のように構成された手帳等の表紙カバーによれば、表紙カバー外向き面８に接着しているフィルム９を剥がし、表紙カバー外向き面８上の任意の位置に、装飾用シート、メモシート、写真等、薄手の小物品１２を置き、その上からフィルム９を重ねることにより、フィルム９と表紙カバー外向き面８とが接着し、薄手の小物品１２をフィルム９と表紙カバー外向き面８で挟着し保持することができるので、薄手の小物品１２の収納部として活用できるとともに、保持された薄手の小物品１２をフィルム９を通して目視できる。
従って、薄手の小物品１２が装飾用シートや写真である場合、表紙カバー外向き面８に装飾を施すものとなり、またメモシートである場合は、メモ内容を容易に確認することができる。
【００１７】
そして、前記薄手の小物品１２の保持にあっては、フィルム９を表紙カバー外向き面８から剥がし、表紙カバー外向き面８上に薄手の小物品１２を置き、その上からフィルム９を重ねて表紙カバー外向き面８と接着するといった簡単な作業により行うことができ便利である。
【００１８】
また、フィルム９の一縁が表表紙カバー部１と裏表紙カバー部２の側縁に接合されているので、フィルム９が表紙カバー外向き面８から分離してしまうおそれはなく、また、表紙カバー外向き面８に配置されたフィルム９は透明または半透明であるので、フィルム９の存在が目立たず、表紙カバーの美感を損ねることはない。
【００１９】
なお、本例では、フィルム９は表表紙カバー部１と裏表紙カバー部２のそれぞれの表紙カバー外向き面８に配置されているが、表表紙カバー部１と裏表紙カバー部２の何れか一方にのみ配置されていてもよい。
また、本例では、フィルム９は表表紙カバー部１および裏表紙カバー部２と同形に形成されているが、表表紙カバー部１および裏表紙カバー部２の大きさ以下であればよい。
また、本例では、接着層１１はフィルム９の内向き面１０に形成されているが、表紙カバー外向き面８に形成されていてもよい。
【符号の説明】
【００２０】
１  表表紙カバー部
２  裏表紙カバー部
３  背表紙カバー部
４  カバー本体
５  表紙カバー内向き面
６  表紙挿入部
７  内側カバー
８  表紙カバー外向き面
９  フィルム
１０  内向き面
１１  接着層
１２  薄手の小物品
【図１】
2013103435.tif 000003
【図２】
2013103435.tif 000004
【図３】
2013103435.tif 000005